(57)【要約】【課題】動画データの内容をより容易に的確に把握することができ、複数の動画データの中から所望の動画データをできるだけ短時間で探せるようにすること。【解決手段】動画データについて動画サムネイルおよび静止画サムネイルを作成することが可能なサムネイル作成手段と、動画データと当該動画データについて作成された少なくとも１つの動画サムネイルを含む複数のサムネイルとを互いに対応付けて記録媒体に記録する記録手段とを有する。サムネイル作成手段は、動画データの先頭部分および最後部分から少なくとも２つの静止画サムネイルを作成し、その中間の指示入力された部分から動画サムネイルを作成する。【選択図】    図４
2005117369.tif 000002
【特許請求の範囲】
【請求項１】
動画を処理することが可能な動画処理装置であって、
動画データについて動画サムネイルおよび静止画サムネイルを作成することが可能なサムネイル作成手段と、
動画データと当該動画データについて作成された少なくとも１つの動画サムネイルを含む複数のサムネイルとを互いに対応付けて記録媒体に記録する記録手段と、
を有することを特徴とする動画処理装置。
【請求項２】
前記サムネイル作成手段は、前記動画データの先頭部分および最後部分から少なくとも２つの静止画サムネイルを作成し、その中間の指示入力された部分から動画サムネイルを作成する、
請求項１記載の動画処理装置。
【請求項３】
動画を再生することが可能な動画再生装置であって、
表示手段と、
動画データに対応付けられた、少なくとも１つの動画サムネイルを含む複数のサムネイルのそれぞれを、前記表示手段の表示面上の分割された領域にそれぞれ表示するサムネイル表示制御手段と、
を有することを特徴とする動画再生装置。
【請求項４】
動画を再生することが可能な動画再生装置であって、
表示手段と、
複数の動画データについてそれぞれ代表として選択された１つのサムネイルを含む複数のサムネイルを前記表示手段の表示面上の分割された領域にそれぞれ表示するサムネイル表示制御手段と、
動画データに対応付けられたサムネイルに動画サムネイルが含まれるときには当該動画サムネイルの１つを当該動画データを代表のサムネイルとして選択する代表サムネイル選択手段と、
を有することを特徴とする動画再生装置。
【請求項５】
前記表示面上の分割された領域にサムネイルを表示するに当たって、表示されるサムネイルが動画サムネイルであってもそれを静止画として表示し、
前記表示面上の領域に表示されたサムネイルのうちの１つが指定されたときに、指定されたサムネイルが動画サムネイルであった場合に、その動画サムネイルを動画として表示する、
請求項３または４記載の動画再生装置。
【請求項６】
前記表示面上の分割された領域にサムネイルを表示するに当たって、表示されるサムネイルが動画サムネイルであった場合に、その動画サムネイルを動画として表示する、
請求項３または４記載の動画再生装置。
【請求項７】
前記動画サムネイルに音声データが付属している場合に、前記動画サムネイルの動画の表示に合わせて当該音声データを再生する、
請求項５または６記載の動画再生装置。
【請求項８】
請求項１または２記載の動画処理装置と、
請求項３乃至７のいずれかに記載の動画再生装置と、
を有することを特徴とするデジタルカメラ。
【発明の詳細な説明】
【技術分野】
【０００１】
本発明は、動画処理装置および動画再生装置、並びにデジタルカメラに関し、特に動画サムネイルを作成しまたは再生するための装置に関する。
【背景技術】
【０００２】
近時において、被写体を撮影して画像データを得るために、ビデオカメラまたはスチルカメラなどの種々のデジタルカメラ（電子カメラ）が用いられている。一般に、デジタルカメラでは、撮影した画像データの検索や編集のためにサムネイル画像がインデックスとして用いられる。
【０００３】
さて、動画データについてのサムネイル画像を作成するに際して、動画の撮影の開始から所定の時間が経過した時点で１つのサムネイル画像（静止画）を作成し、または所定の時間が経過する毎にサムネイル画像を作成することが提案されている（特許文献１）。
【０００４】
しかし、サムネイル画像が静止画である場合には、動画データの内容を的確に把握することがユーザにとって容易ではない。
【０００５】
そのため、動画データについて、その先頭の所定の範囲から複数の静止画を抽出することによって１つの動画のサムネイル画像（動画サムネイル）を作成することが提案されている（特許文献２）。
【０００６】
図１４は従来の動画データと動画サムネイルとの関係を示す図である。
【０００７】
図１４において、１つの動画データＭＤＪについて、１つの動画サムネイルＳＮＭＪが作成され、対応付けられている。動画サムネイルＳＮＭＪは、動画データＭＤＪの先頭の画像データから順に所定時間分の画像データを用いて作成される。再生時には、作成された動画サムネイルＳＮＭＪが再生される。
【０００８】
しかし、先頭部分の画像がその動画データの内容をよく特徴付けているとは限らないので、そのような１つの動画サムネイルのみで動画データの内容を的確に把握することは容易ではない。
【０００９】
そのため、ある動画データを保存するかまたは廃棄するかをユーザが判断する場合に、また所望の動画データを探す場合に、原本である動画データを実際に再生して表示しなければならないことが多く、そのために時間がかかって動画データを効率よく扱うことができなかった。
【特許文献１】特開２００２−７７８０３
【特許文献２】特開２００３−２３６００
【発明の開示】
【発明が解決しようとする課題】
【００１０】
本発明の課題は、動画データの内容をより容易に的確に把握することができ、複数の動画データの中から所望の動画データをできるだけ短時間で探せるようにすることである。
【課題を解決するための手段】
【００１１】
本発明に係る動画処理装置は、動画データについて動画サムネイルおよび静止画サムネイルを作成することが可能なサムネイル作成手段と、動画データと当該動画データについて作成された少なくとも１つの動画サムネイルを含む複数のサムネイルとを互いに対応付けて記録媒体に記録する記録手段とを有する。
【００１２】
それらのサムネイルを再生することによって、ユーザは動画データの内容をより容易に的確に把握することができる。
【００１３】
好ましくは、前記サムネイル作成手段は、前記動画データの先頭部分および最後部分から少なくとも２つの静止画サムネイルを作成し、その中間の指示入力された部分から動画サムネイルを作成する。
【００１４】
また、本発明に係る動画再生装置は、表示手段と、動画データに対応付けられた、少なくとも１つの動画サムネイルを含む複数のサムネイルのそれぞれを、前記表示手段の表示面上の分割された領域にそれぞれ表示するサムネイル表示制御手段とを有する。これにより、一目で動画データの全容を捉えることが可能である。
【００１５】
また、動画データに対応付けられたサムネイルに動画サムネイルが含まれるときには当該動画サムネイルの１つを当該動画データを代表のサムネイルとして選択する代表サムネイル選択手段を有する。これにより、複数の動画データの中から所望の動画データをより容易に探すことができる。
【００１６】
また、前記表示面上の分割された領域にサムネイルを表示するに当たって、表示されるサムネイルが動画サムネイルであってもそれを静止画として表示し、前記表示面上の領域に表示されたサムネイルのうちの１つが指定されたときに、指定されたサムネイルが動画サムネイルであった場合に、その動画サムネイルを動画として表示する。これによると、制御部などの処理負担が軽減し、処理に必要なメモリ容量が低減する。
【発明の効果】
【００１７】
本発明によると、動画データの内容をより容易に的確に把握することができ、複数の動画データの中から所望の動画データをできるだけ短時間で探すことが可能になる。
【発明を実施するための最良の形態】
【００１８】
図１は本発明の実施形態を示すデジタルカメラ１の正面図、図２はデジタルカメラ１の背面図である。
【００１９】
図１および図２に示されるように、デジタルカメラ１は、金属または合成樹脂などの材料で構成されたカメラ本体１０の内部または表面に、レンズ１１、レリーズボタン１３、ファインダ１６、表示部１７、モードダイアル１９、十字キー２１、設定ボタン２２、サムネイル設定ボタン２３、フラッシュ２４、および通信用コネクタ２５などが設けられている。これらの図には示されていないが、マイクロフォン１４およびスピーカ１８も設けられている（図３参照）。十字キー２１は、上下ボタン２１ａ、左右ボタン２１ｂ、および中央ボタン２１ｃからなる。
【００２０】
レンズ１１は、鏡胴とともに撮影光学系ＳＫ（図３参照）を構成する。レンズ１１は複数枚からなってズーム機能を有している。
【００２１】
レリーズボタン１３は、カメラ本体１０の上面前方に設けられており、ユーザによる半押し状態と全押し状態とを区別して検出可能な２段階押し込みスイッチである。
【００２２】
ファインダ１６は、ユーザが接眼して撮影対象および撮影領域を確認するためのものである。本実施形態では電子ビューファインダ（ＥＶＦ）が用いられているが、光学ファインダであってもよい。表示部１７には、撮影の前にレンズ１１により捉えられた被写体のライブ画像、アフタービュー画像、再生モード時の画像、メニュー、およびモードや各種の設定条件などがカラー表示される。表示部１７として、例えば３２０×２４０画素程度のＬＣＤ（液晶表示装置）１１３が用いられる。
【００２３】
モードダイアル１９は、それをユーザが回転させることによって、カメラモード、動画撮影モード、再生モード、音声記録モード（ボイスレコードモード）、設定モード、通信モードなどを選択して設定するためのものである。カメラモードは、被写体の撮影を行って静止画の画像データを取得するモードである。動画撮影モードは、被写体を撮影して動画データを取得するモードである。動画撮影モードにおいては、例えば、ＶＧＡ規格の画像が３０フレーム／秒のフレームレートで取得され、ＭＰＥＧ規格などのファイルフォーマットで記録される。再生モードは、メモリカード１１５に記録された画像データおよび音声データを再生するモードである。外部入力による画像の表示を行うことも可能である。音声記録モードは、音声を記録するモードである。設定モードは、撮影時または撮影時における各種のパラメータの設定を行うモードである。通信モードは、パーソナルコンピュータなどの外部装置へデータの転送を行うモードである。なお、モードダイアル１９は電源スイッチを兼ねている。
【００２４】
なお、カメラモードで得られた画像データを静止画データ、動画撮影モードで得られた画像データを動画データということがある。また、画像データを画像ファイルといい、音声データを音声ファイルということがある。同様に、静止画データおよび動画データを静止画ファイルまたは動画ファイルということがある。
【００２５】
十字キー２１は、上下ボタン２１ａと左右ボタン２１ｂとの組み合わせによって、ユーザが種々の機能を選択しまたは設定するためのものである。例えば、カメラモード時および動画撮影モード時には、上下ボタン２１ａによってズーミングを行うことができる。再生モード時には左右ボタン２１ｂの操作によって画像の切り替えを行うことが可能である。また、設定モード時には、表示部１７の表示面に表示された機能、設定値などを変更することができる。中央ボタン２１ｃは、上下ボタン２１ａと左右ボタン２１ｂで選択されまたは設定された内容を確定し、または動作を開始するための決定ボタンとしての機能を有する。
【００２６】
設定ボタン２２は、種々の設定を行うための４つのボタンからなるボタン群である。例えば、設定ボタン２２のいずれかを、メニューの選択ボタン、画像ファイルの再生ボタン、音声ファイルの再生ボタンなどとして機能させることができる。例えば、メニューの選択ボタンを押すことによって表示部１７にメニューが表示され、この状態で、十字キー２１を操作することによって、各種撮影パラメータの設定を行うことができる。
【００２７】
サムネイル設定ボタン２３は、動画データから動画サムネイルを作成する際に用いられるボタンである。動画の撮影中または再生中にこのボタンを押すことにより、押している間に撮影されまたは表示されている部分の動画を用いて動画サムネイルが作成される。詳しくは後述する。
【００２８】
フラッシュ２４は、被写体を照明するためのものであり、ポップアップ式でセットされる。通信用コネクタ２５は、パーソナルコンピュータなどの外部機器と接続するインタフェースのためのコネクタである。
【００２９】
次に、デジタルカメラ１の内部構成について説明する。
【００３０】
図３はデジタルカメラ１の機能を示すブロック図である。
【００３１】
図３に示すように、デジタルカメラ１には、制御部１０１、画像信号処理部１０２、タイミング制御回路１０３、撮像素子１０４、レンズ駆動部１０６、フラッシュ回路１０７、音声信号処理部１０９、操作部１１０、音声出力部１１１、ＬＣＤ１１３、カードＩＦ１１４、メモリカード１１５、通信用ＩＦ１１６、マイクロフォン１４、およびスピーカ１８などが設けられる。
【００３２】
制御部１０１は、ＲＯＭおよびバッファメモリとしてのＲＡＭを内部に備えたマイクロコンピュータ（ＣＰＵ１）によって構成される。マイクロコンピュータが所定のプログラムを実行することにより、以下に説明する種々の機能が実現される。
【００３３】
画像信号処理部１０２は、撮像素子１０４から出力される画像信号を増幅し、ＤＡ変換を行った後、ホワイトバランスのための処理および圧縮処理などを行う。
【００３４】
タイミング制御回路１０３は、タイミングジェネレータ（ＴＧ）とも呼称され、撮像素子１０４の動作を制御するための各種のタイミングパルスを生成する。
【００３５】
撮像素子１０４は、被写体を撮像して画像信号に変換するための光電変換素子であり、本実施形態においてはＣＣＤが用いられる。例えば２００万画素、５００万画素、またはそれ以上の画素数のものが用いられ、画素毎にＲ（赤），Ｇ（緑），Ｂ（青）の色成分の画像信号を出力する。撮像素子１０４の駆動方式つまり読み出しモードには、ドラフトモード、自動合焦モード、および本撮影モードの３つのモードがある。詳しくは特開２０００−１５２０７２を参照することができる。なお、ＣＣＤ以外に、Ｃ−ＭＯＳ、その他の素子を用いてもよい。撮像素子１０４と撮影光学系ＳＫとによって撮像部ＳＢが構成される。
【００３６】
レンズ駆動部１０６は、モータおよびそのドライバなどにより構成され、レンズ１１を構成するズ−ムレンズ、フォ−カスレンズ、およびシャッタなどを駆動する。
【００３７】
フラッシュ回路１０７は、低輝度時に発光するようにフラッシュ２４を制御するための制御回路である。音声信号処理部１０９は、マイクロフォン１４から出力される音声信号を増幅し、ＡＤ変換する。これによって、動画の撮影時の録音、ボイスメモおよびボイスレコーダ時の録音のための音声を音声データとして取得する。
【００３８】
操作部１１０は、モードダイアル１９、十字キー２１、設定ボタン２２、およびサムネイル設定ボタン２３などの各種ボタン、スイッチ、ダイアル、またはキーなどの操作部材からの信号を入力する。
【００３９】
音声出力部１１１は、制御部１０１から出力される音声データをＡＤ変換し、増幅してスピーカ１８を駆動する。スピーカ１８は、動画またはボイスメモに記録した音声の再生出力、警告音声の出力、セルフタイマのカウント音の出力、操作音の出力などのために用いられる。ＬＣＤ１１３は、制御部１０１から出力される画像データを表示するものである。そのためのドライバも含まれる。なお、表示部１７としては、ＬＣＤ１１３以外に、有機ＥＬ装置、その他のディスプレイ装置を用いてもよい。
【００４０】
カードＩＦ１１４は、メモリカード１１５への書き込みまたは読み出しを行うためのインタフェ−スである。メモリカード１１５は、ＳＤメモリカード、ＣＦメモリカード、マルチメディアカード、メモリスティック、ＭＭＣ、マイクロディスクなど、画像データおよび音声データなどを記録する記録媒体である。
【００４１】
通信用ＩＦ１１６は、上に述べた通信用コネクタ２５とともにパーソナルコンピュータまたはクレードルなどとの間でデータ転送を行うためのインタフェ−スである。例えば、ＵＳＢ規格に準拠した通信用インタフェースなどが用いられる。これら、通信用ＩＦ１１６およびカードＩＦ１１４を介して、メモリカード１１５または外部の記録媒体に記録された制御プログラムを、制御部１０１のＲＡＭまたはＲＯＭに取り込むことが可能である。
【００４２】
上に述べた機能以外に、例えば、γ補正、色補正、解像度変換、領域の切り出し処理、自動露出（ＡＥ）または自動合焦（ＡＦ）の制御用の評価値の算出処理、画像データの一時記憶、圧縮処理、伸張処理、その他のデータ処理または信号処理の機能が、必要に応じて備えられる。これらの機能は、上に述べた制御部１０１、画像信号処理部１０２、その他のハード回路またはソフト処理によって実現することが可能である。
【００４３】
次に、デジタルカメラ１の基本的な操作について説明する。
【００４４】
モードダイアル１９によって、種々のモードのうちのいずれかを選択する。カメラモードでは、レリーズボタン１３の半押しによって、上に述べたように撮影準備動作が行われ、全押しによって撮影が行われる。動画撮影モードでは、レリーズボタン１３の全押しによって撮影が開始され、再度の全押しによって撮影を終了する。また、撮影の開始から一定の時間を経過した場合には自動的に撮影を終了する。
【００４５】
再生モードでは、メモリカード１１５に記録された画像ファイルおよび音声ファイルが読み出され、それらのヘッダに基づいて記録の日付け情報が読み出される。日付け情報に基づいて、ファイルの新旧が判断される。最新のファイルが画像ファイルである場合には、そのサムネイル画像が表示部１７に表示される。最新のファイルが音声ファイルである場合には、その音声ファイルに添付された画像データのサムネイル画像が読み出され、表示部１７に表示される。サムネイル画像がないときは、音声ファイルであることを示す代替画像が表示される。なお、サムネイル画像は、表示部１７の表示面上の全域または分割された領域に表示される。
【００４６】
これら種々のサムネイル画像の表示中に、十字キー２１の左右ボタン２１ｂを操作すると、次のファイルに移行し、それぞれのファイルの種類に応じたサムネイル画像が表示される。
【００４７】
デジタルカメラ１は、上に説明した操作以外の種々の操作を行うことができる。以下に、デジタルカメラ１の特徴的な機能についてさらに詳しく説明する。
【００４８】
デジタルカメラ１は、上に述べたように、動画サムネイルを含む複数のサムネイル画像を作成し、それらを元の動画データと対応付けて（つまり互いに関連付けて）記録することができる。
【００４９】
すなわち、撮影により得られた動画データについて、動画サムネイルおよび静止画サムネイル（これらのいずれかまたは両方を「サムネイル」と記載することがある）を作成することが可能である。その場合に、動画データの先頭部分および最後部分から２つの静止画サムネイルが作成され、その中間の指示入力された部分から動画サムネイルが作成される。指示入力は、動画の撮影中つまり動画撮影モードにおいて、または再生中つまり再生モードにおいて、ユーザがサムネイル設定ボタン２３を押すことにより行う。
【００５０】
サムネイル設定ボタン２３を押すと、押している間において指示入力が行われ、その間に撮影されまたは再生されている動画を用いて動画サムネイルが作成される。ユーザは複数回にわたってサムネイル設定ボタン２３を押すことが可能であり、サムネイル設定ボタン２３が押された回数に等しい数の動画サムネイルが作成される。また、その場合に、サムネイル設定ボタン２３を押すことによって動画サムネイルの作成の開始位置のみを指示することとし、動画サムネイルの長さは固定としてもよい。
【００５１】
ユーザがサムネイル設定ボタン２３を押さなかった場合には、動画データの適当な中間の部分の所定範囲において自動的に指示入力が行われ、少なくとも１つの動画サムネイルが作成される。そのような指示入力を自動的に生成するタイミングとして、例えば、動画データの先頭から所定時間Ｔ１を経過した位置から所定時間Ｔ２にわたって指示入力を生成する。または、動画データの先頭から所定時間Ｔ１を経過する度毎に所定時間Ｔ２にわたって指示入力を生成する。または、動画データの全体の長さを所定数に分割した時間間隔毎に指示入力を生成する。または、動画データの全体の長さの中間位置において所定時間Ｔ２にわたって指示入力を生成する。また、静止画サムネイルについても、先頭から所定時間Ｔ３毎に自動的に作成されるようにすることも可能である。
【００５２】
作成された少なくとも１つの動画サムネイルを含む複数のサムネイルは、元の動画データと対応付けてメモリカード１１５に記録される。その場合に、各サムネイルの動画データにおける位置についても、対応付けて記録される。
【００５３】
再生モードにおいて、１つの動画データを指定した場合に、その動画データに対応付けられた、少なくとも１つの動画サムネイルを含む複数のサムネイルのそれぞれが、表示部１７の表示面上の分割された領域にそれぞれ表示される。また、全てのデータ（画像データおよび音声データ）についてのサムネイルを表示する場合には、それぞれのデータのサムネイルが表示部１７の表示面上の分割された領域にそれぞれ表示される。１つのデータが複数の対応付けられたサムネイルを持っている場合には、それらのうちから１つの代表サムネイルが選択されて表示される。特に、動画データに対応付けられたサムネイルに動画サムネイルが含まれるときには、当該動画サムネイルの１つが代表サムネイルとして選択される。
【００５４】
動画サムネイルの表示に当たって、当初は静止画として表示される。十字キー２１などの操作によってサムネイルのうちの１つが指定されると、指定されたサムネイルが動画サムネイルであった場合に、その動画サムネイルが動画として表示される。しかし、動画サムネイルを当初から動画として表示することも可能である。動画として表示されている動画サムネイルに音声データが対応付けられている場合に、その動画の表示に合わせて当該音声データがスピーカ１８から再生される。表示部１７の表示面に複数の動画サムネイルが動画として表示されている場合には、そのうちの指定された１つの動画サムネイルに対応する音声データのみが再生される。
【００５５】
次に、このような機能について具体例を示す図面を参照して説明する。
【００５６】
図４は動画データＭＤ１とサムネイルＳＮ１との関係を示す図、図５は動画データＭＤ１を格納した動画ファイルＭＦ１を示す図である。
【００５７】
図４において、１つの動画データＭＤについて、２つの静止画サムネイルＳＮＳ１，２と１つの動画サムネイルＳＮＭ１が作成され対応付けられている。動画データＭＤ１の先頭が開始された時点ｔ１において、１つの静止画サムネイルＳＮＳ１が作成される。その場合に、先頭の画像データまたは先頭からｍ枚目の画像データに基づいて静止画サムネイルＳＮＳ１が作成される。所定の時間ＴＡが経過した時点ｔ２においてサムネイル設定ボタン２３が押され、時点ｔ３で戻されたとすると、その間ＴＢにおいて１つの動画サムネイルＳＮＭ１が作成される。動画データＭＤ１が終了すると、その最後の時点ｔ４において、１つの静止画サムネイルＳＮＳ２が作成される。その場合に、最後の画像データまたは最後からｎ枚前の画像データに基づいて静止画サムネイルＳＮＳ２が作成される。
【００５８】
なお、これらのサムネイルＳＮは、元の動画データＭＤのサイズを縮小することによって作成される。その際に、元の動画データＭＤの画像を間引くことなく同じ枚数となるように作成してもよく、または間引くことによって枚数を減らしてもよい。
【００５９】
上にも述べたように、サムネイルＳＮの作成は、撮影中または再生中のいずれでも可能である。ユーザは、自分の好みに応じて複数回にわたって任意の時点でサムネイル設定ボタン２３を操作し、任意の長さの複数の動画サムネイルＳＮＭを作成することができる。また、ユーザがサムネイル設定ボタン２３を押すことなく、時間ＴＡ，ＴＢを自動的に計時して動画サムネイルＳＮＭを作成することも可能である。
【００６０】
図５に示すように、動画データＭＤ１にはヘッダＨＤ１が設けられている。ヘッダＨＤ１には、そのファイル名および関連データ情報などが記録されている。ファイル名によってデータの種類の識別が可能である。関連データ情報として、当該動画データＭＤ１に対応付けられた他のデータの情報、特に対応付けられたサムネイルＳＮのファイル名、そのサムネイルＳＮの動画データＭＤ１における時間的な位置などが記録されている。時間的な位置として、例えば図に示すように、動画データＭＤ１におけるサンプリングパルスのカウント値ＣＴ１〜４が用いられる。
【００６１】
図６は１つの動画データについてのサムネイルが表示された画面ＨＧ１を示す図、図７は複数のデータについてのそれぞれの代表サムネイルが表示された画面ＨＧ２を示す図、図８は複数データについてそれぞれのサムネイルが表示された画面ＨＧ３を示す図である。
【００６２】
図６に示すように、画面ＨＧ１において、１つの動画データＭＤ１について４つのサムネイルＳＮ１〜４がある場合に、それら４つのサムネイルＳＮ１〜４が表示部１７の表示面上に４分割されて同時に表示される。サムネイルＳＮ１および４は静止画サムネイルＳＮＳ１，２であり、サムネイルＳＮ２および３は動画サムネイルＳＮＭ１，２である。これらのサムネイルＳＮ１〜４は、時系列にしたがった順に表示される。動画サムネイルＳＮＭ１，２については、静止画によって表示される。その場合の静止画として、例えば、動画サムネイルＳＮＭの先頭の画像が用いられる。
【００６３】
また、各サムネイルＳＮの右下部に、データの種類を示すためのマークＭＫが同時に表示される。図に示すように、マークＭＫとして、動画サムネイルＳＮＭである場合にはシネカメラの図柄が用いられる。
【００６４】
十字キー２１の上下ボタン２１ａの操作によっていずれかのサムネイルＳＮ１〜４を指定すると、指定されたサムネイルＳＮに枠が表示される。指定されたサムネイルＳＮが動画サムネイルＳＮＭである場合には、その動画サムネイルＳＮＭは動画によって表示される。図６においてはサムネイルＳＮ２が指定されており、これは動画サムネイルＳＮＭであるので、動画によって表示される。その場合に、動画データＭＤ１に添付された音声データのうちの動画サムネイルＳＮＭに対応する部分が再生される。画面ＨＧ１におけるサムネイルＳＮの指定の初期値は、１番目のサムネイルＳＮ１である。しかし、静止画サムネイルＳＮＳを除き、動画サムネイルＳＮＭについての１番目を初期値として指定してもよい。初期値として動画サムネイルＳＮＭが指定された場合には、当初からそれが動画として表示されることとなる。１つの動画データＭＤ１について５つ以上のサムネイルＳＮがある場合には、上下ボタン２１ａの操作を行うことによって残りのサムネイルＳＮが表示される。
【００６５】
いずれかのサムネイルＳＮが指定された状態で、中央ボタン２１ｃを押すと、指定されているサムネイルＳＮに対する処理が行われる。その処理の内容は、そのときのモードに応じた内容である。例えば、再生モードであった場合には、指定されているサムネイルＳＮが大きく表示される。この例のように動画データＭＤであった場合には、指定されている動画サムネイルＳＮＭの位置に対応する位置から、動画として再生される。したがって、先頭のサムネイルＳＮ１が指定されていた場合には、動画データＭＤ１が先頭から再生される。このように、サムネイルＳＮによって動画データＭＤの再生時の頭だしを行うことができる。また、編集モードであった場合には、その編集内容に応じた処理が行われる。
【００６６】
なお、２つの動画サムネイルＳＮＭ１，２を同時に動画で表示してもよい。その場合に、音声データは指定された１つの動画サムネイルＳＮＭについてのみ再生される。また、動画データＭＤ１を次の動画データＭＤ２に変更するには、左右ボタン２１ｂを操作する。
【００６７】
図７に示すように、画面ＨＧ２において、５つの動画データＭＤ１〜５および４つの静止画データＳＤ１〜４の合計９つのデータについて、それぞれの代表サムネイルＳＮが表示部１７の表示面上に９分割されて同時に表示される。代表サムネイルＳＮは、複数のサムネイルＳＮを持ったデータについて、そのうちの１つのサムネイルＳＮが代表として選択されたものである。
【００６８】
例えば、動画データＭＤ１については、少なくとも２つのサムネイルＳＮを持っており、そのうちの１つである動画サムネイルＳＮＭが代表サムネイルＳＮ１２として選択され表示されている。この例では、代表サムネイルＳＮ１２が指定されて枠が表示されているので、動画として表示される。
【００６９】
また、動画データＭＤ２については、動画サムネイルＳＮＭが代表サムネイルＳＮ２３として選択され表示されている。静止画データＳＤ１については、静止画サムネイルＳＮＳが代表サムネイルＳＮ３１として選択され表示されている。
【００７０】
それぞれのデータについて、どのサムネイルを代表サムネイルＳＮとするかについては、各データおよびそれぞれのサムネイルとともに、それぞれの代表サムネイルＳＮを一覧する図示しないテーブルが作成され、メモリに記憶されている。代表サムネイルＳＮの表示に当たって、そのテーブルが参照される。
【００７１】
なお、画面ＨＧ２上において、代表サムネイルＳＮの指定は、十字キー２１の操作によって行われる。いずれかの代表サムネイルＳＮが指定された状態で、中央ボタン２１ｃを押すと、指定されている代表サムネイルＳＮに対する処理が行われる。その処理の内容は、上に述べたようにそのときのモードに応じた内容である。
【００７２】
図８に示すように、画面ＨＧ３において、３つの動画データＭＤ１〜３および１つの静止画データＳＤ１の合計４つのデータについて、それぞれの全てのサムネイルＳＮが表示部１７の表示面上に９分割されて同時に表示される。サムネイルＳＮはそれぞれのデータについてグループ化されており、それぞれ共通の枠で囲まれている。例えば、動画データＭＤ１については１つの動画サムネイルＳＮＭと２つの静止画サムネイルＳＮＳ、動画データＭＤ２については１つの静止画サムネイルＳＮＳと１つの動画サムネイルＳＮＭ、静止画データＳＤ１については１つの静止画サムネイルＳＮＳ、動画データＭＤ３については２つの動画サムネイルＳＮＭと１つの静止画サムネイルＳＮＳを、それぞれ有している。それぞれのグループにおいて、サムネイルＳＮは時系列の順に表示される。
【００７３】
画面ＨＧ３上において、サムネイルＳＮの指定は、十字キー２１の操作によって行われる。いずれかの代表サムネイルＳＮが指定された状態で、中央ボタン２１ｃを押すと、指定されているサムネイルＳＮに対する処理が行われる。その処理の内容は、上に述べたようにそのときのモードに応じた内容である。例えば再生モードであった場合に、動画データＭＤ３の中央のサムネイルＳＮ３２が指定されていたとすると、動画データＭＤ３のサムネイルＳＮ３２に対応する位置から動画が再生される。
【００７４】
次に、デジタルカメラ１の動作または処理内容について、フローチャートを参照して説明する。
【００７５】
図９はデジタルカメラ１の全体的な動作を示すフローチャートである。
【００７６】
図９において、電源をオンすると（＃１でイエス）、モードダイアル１９で選択された内容のモードが設定される（＃２）。動画撮影モード、音声記録モード（ボイスレコードモード）、再生モード、設定モードなどのそれぞれのモードに応じて、動画撮影処理、音声記録処理、再生処理、その他の処理などが実行される（＃３〜９）。電源をオフすると動作が停止する（＃１０でイエス）。
【００７７】
図１０は動画撮影処理の例を示すフローチャートである。このフローチャートでは、主として、動画の撮影時にサムネイルＳＮを作成する処理が示されている。
【００７８】
図１０において、ユーザによってレリーズボタン１３がオンされると、動画の撮影が開始される（＃２３，２４）。動画の撮影が行われている間において、得られた画像データに対し、モーションＪＰＥＧ、ＭＰＥＧなどのファイルフォーマットによって動画ファイルが作成され、バッファメモリなどに記録される（＃２５）。
【００７９】
レリーズボタン１３が２回目にオンされると、動画の撮影が終了する（＃２６，２７）。これによって１つの動画データＭＤが得られる。撮影の間において、ユーザがサムネイル設定ボタン２３を押すことにより、動画サムネイルＳＮＭのための指示入力が行われる。なお、レリーズボタン１３を押す度に動画の撮影の開始と終了とを切り換えるのではなく、レリーズボタン１３を押している間において撮影を実行するようにすることも可能である。
【００８０】
その後、得られた動画データＭＤについて、静止画サムネイルＳＮＳが作成され（＃２８）、指示入力のあった範囲について動画サムネイルＳＮＭが作成される（＃２９）。
【００８１】
作成された静止画サムネイルＳＮＳおよび動画サムネイルＳＮＭが、動画データＭＤと関連付けられてメモリカード１１５に記録される（＃３０）。
【００８２】
図１１は再生処理の例を示すフローチャートである。このフローチャートでは、主として、動画の再生時にサムネイルＳＮを作成する処理が示されている。
【００８３】
図１１において、動画再生モード（動画モード）でない場合は他の処理フローに進む（＃４１，４２）。動画再生モードの場合に、ユーザによって再生ボタンがオンされると、動画の再生が開始され、表示部１７に表示される（＃４３〜４５）。再生中において、サムネイル設定ボタン２３を押すことにより、動画サムネイルＳＮＭのための指示入力が行われ、そのときの位置（指示入力位置）が記憶される（＃４６，４７）。動画の再生を継続している間は、サムネイル設定ボタン２３を繰り返して操作し、複数の指示入力位置を記憶させることができる。
【００８４】
再生ボタンがオフされると、再生が終了する（＃４８，４９）。その後、記憶した指示入力位置に基づいて、動画サムネイルＳＮＭの作成が行われる（＃５０）。作成された動画サムネイルＳＮＭおよび他のサムネイルＳＮが動画データＭＤと関連付けられてメモリカード１１５に記録される（＃５１）。
【００８５】
図１２は再生処理の例を示すフローチャートである。このフローチャートでは、主として、１つのデータについての複数のサムネイルＳＮを表示面を分割して表示する処理が示されている。
【００８６】
図１２において、まず、メモリカード１１５に記録されたデータが読み出される（＃６１）。データには、静止画データＳＤ、動画データＭＤ、音声データＶＤなどが含まれる。その場合に、例えば、ファイル番号の小さい順に読み出し、それぞれのデータに対応付けられたサムネイルＳＮの数を確認する。
【００８７】
サムネイルＳＮの数が１つであれば、それを表示部１７の表示面の全面に表示する（＃６２でノー、６３）。サムネイルＳＮの数が２つ以上であり、かつそれらが全て静止画サムネイルＳＮＳであれば、表示面を分割して静止画サムネイルＳＮＳを表示する（＃６４でノー、６８）。サムネイルＳＮの数が２つ以上であり、かつ静止画サムネイルＳＮＳと動画サムネイルＳＮＭとが混在していれば、表示面を分割してそれらを同時に表示する（＃６４でイエス、６５）。その結果、例えば図６に示す画面ＨＧ１が表示される。
【００８８】
例えば画面ＨＧ１において、ユーザによる十字キー２１の操作によって、サムネイルＳＮが選択される（＃６９）。再生ボタンが押されると、選択されているサムネイルＳＮの位置から動画データＭＤが再生され、表示面に表示される（＃７０，７１）。十字キー２１の操作によって他の動画データＭＤが指定されると（＃７２）、ステップ＃６１に戻って指定された動画データＭＤが読み出される。
【００８９】
図１３は再生処理の例を示すフローチャートである。このフローチャートでは、主として、複数の動画データＭＤについてのそれぞれの代表サムネイルＳＮを表示面を分割して表示する処理が示されている。
【００９０】
図１３において、メモリカード１１５に記録された動画データＭＤを読み出す（＃８１）。動画データＭＤについてのサムネイルＳＮが１つのみであれば、それを代表サムネイルＳＮとする（＃８２でノー、８３）。動画データＭＤについて２つ以上の静止画サムネイルＳＮＳを持っているときには、時系列における最初の静止画サムネイルＳＮＳを代表サムネイルＳＮとする（＃８４でノー、８６）。動画データＭＤについて少なくとも動画サムネイルＳＮＭを持っているときは、動画サムネイルＳＮＭを代表サムネイルＳＮとする（＃８４でイエス、８５）。
【００９１】
各動画データＭＤの代表サムネイルＳＮを、表示部１７の表示面の分割領域に同時に表示する（＃８７）。その結果、例えば図７または図８に示すような画面ＨＧ２，３が表示される。画面ＨＧにおいて動画サムネイルＳＮＭが複数同時に表示された場合には、それらの動画サムネイルＳＮＭが順に画面上において動画で表示される。動画で表示される動画サムネイルＳＮＭについては、音声の再生が同時に行われる（＃８８）。動画で表示されていない他の動画サムネイルＳＮＭは、静止画によって表示される。
【００９２】
ユーザによる十字キー２１の操作によって、サムネイルＳＮが選択される（＃８９）。再生ボタンが押されると、選択されているサムネイルＳＮの位置から動画データＭＤが再生され、表示面に表示される（＃９０，９１）。十字キー２１の操作によって表示された以外の動画データＭＤが指定されると（＃９２）、ステップ＃８１に戻って指定された動画データＭＤが読み出される。
【００９３】
画面ＨＧ２が表示されているときに、ユーザが設定ボタン２２を操作することによって、各動画データＭＤについての複数のサムネイルＳＮを同時に表示することができる。そのようにして表示されたものが画面ＨＧ３である。
【００９４】
上に述べたフローチャートにおいて、ステップ＃２８、２９、５０などにおける処理が本発明におけるサムネイル作成手段に相当する。また、制御部１０１における図６〜８の画面ＨＧ１〜３を表示するための機能が、本発明におけるサムネイル表示制御手段に相当する。制御部１０１における図７の画面ＨＧ２に表示された代表サムネイルＳＮを選択するための機能が、本発明における代表サムネイル選択手段に相当する。
【００９５】
上に述べた実施形態によると、１つの動画データＭＤについて少なくとも１つの動画サムネイルＳＮＭを含む複数のサムネイルＳＮが対応付けられているので、それらのサムネイルＳＮを再生することによって、ユーザは動画データＭＤの内容をより容易に的確に把握することができる。これにより、複数の動画データＭＤの中から所望の動画データをできるだけ短時間で探すことが可能である。動画サムネイルＳＮＭが含まれているので、動画データＭＤの内容がより分かりやすい。
【００９６】
また、１つの動画データＭＤに関連付けられた複数のサムネイルＳＮを表示面上に同時に表示することができるので、一目で動画データＭＤの全容を捉えることが可能である。１つのデータに関連付けられた複数のサムネイルＳＮのうちの１つが代表サムネイルＳＮとし、複数のデータについての複数の代表サムネイルＳＮを表示面上に同時に表示することができるので、複数のデータの中から、特に複数の動画データＭＤの中から、所望の動画データＭＤを容易に探すことができる。
【００９７】
複数の動画サムネイルＳＮＭを同時に表示する場合に、そのうちの１つのみを動画で表示し、他を静止画として表示することにより、制御部１０１などの処理負担が軽減し、処理に必要なメモリ容量が低減する。
【００９８】
上に述べた実施形態において、例えば図１０および図１１のフローチャートに示すように、撮影または再生が終わった後でサムネイルＳＮを作成したが、制御部１０１などの処理能力に余裕があれば、撮影または再生の最中にサムネイルＳＮを作成するようにしてもよい。
【００９９】
上に述べた実施形態において、動画データＭＤまたは動画サムネイルＳＮＭを、１秒間に３０フレームまたは１５フレームとすることができる。また、それよりも少ないフレームレートとしてもよい。例えば、１秒間に１０フレームまたは２フレームであってもよい。
【０１００】
その他、デジタルカメラ１の構造、構成、形状、寸法、機能、処理内容、処理順序などは、上に述べた以外の種々のものとすることができる。例えば、デジタルカメラ１に電話通信機能を付加してもよい。また、携帯電話機に上に述べたデジタルカメラ１の機能を付加してもよい。その他、種々の電子機器または装置にデジタルカメラ１の機能を付加することによって本発明を実現することが可能である。
【０１０１】
本発明は、デジタルカメラ１以外にも適用することが可能である。例えば、本発明の動画処理装置および動画再生装置を、パーソナルコンピュータまたは適当な電子機器において実現することができる。
【産業上の利用可能性】
【０１０２】
デジタルカメラまたはパーソナルコンピュータなどのように、動画データを処理し表示しまたは編集する装置において利用することができる。
【図面の簡単な説明】
【０１０３】
【図１】本発明の実施形態を示すデジタルカメラの正面図である。
【図２】デジタルカメラの背面図である。
【図３】デジタルカメラの機能を示すブロック図である。
【図４】動画データとサムネイルとの関係を示す図である。
【図５】動画データを格納した動画ファイルを示す図である。
【図６】１つの動画データについてのサムネイルが表示された画面を示す図である。
【０１０４】
【図７】複数のデータについて代表サムネイルが表示された画面を示す図である。
【図８】複数データについてサムネイルが表示された画面を示す図である。
【図９】デジタルカメラの全体的な動作を示すフローチャートである。
【図１０】撮影処理の例を示すフローチャートである。
【図１１】再生処理の例を示すフローチャートである。
【図１２】再生処理の例を示すフローチャートである。
【図１３】再生処理の例を示すフローチャートである。
【図１４】従来の動画データと動画サムネイルとの関係を示す図である。
【符号の説明】
【０１０５】
１  デジタルカメラ（動画処理装置、動画再生装置）
１７  表示部（表示手段）
１０１  制御部
１１５  メモリカード（記録手段）
ＭＤ  動画データ
ＳＮ  サムネイル
ＳＮＭ  動画サムネイル
ＳＮＳ  静止画サムネイル
【図１】
2005117369.tif 000003
【図２】
2005117369.tif 000004
【図３】
2005117369.tif 000005
【図４】
2005117369.tif 000006
【図５】
2005117369.tif 000007
【図６】
2005117369.tif 000008
【図７】
2005117369.tif 000009
【図８】
2005117369.tif 000010
【図９】
2005117369.tif 000011
【図１０】
2005117369.tif 000012
【図１１】
2005117369.tif 000013
【図１２】
2005117369.tif 000014
【図１３】
2005117369.tif 000015
【図１４】
2005117369.tif 000016